(57)【要約】【課題】植物発生材を効果的に安定させ、様々な副次的効果を発揮させることができ、保水性や保肥性の向上、導入植物の発芽促進、塩基障害の緩和や有効菌の高速増殖、根腐れの予防を図る。【解決手段】酸化珪素を主成分とし、これに酸化カルシウム、非晶質アルミナ珪酸塩及びミネラル反応酵素剤を加えた植物発生材吹付用安定・浸食防止・改良促進剤であり、前記ミネラル反応酵素剤は、針葉樹の葉の抽出成分にパパイヤ、パイナップルの一方又は両方の抽出成分を加えて得られる。好ましい組成は、前記酸化珪素を５０〜７０重量％、前記酸化カルシウムを１０〜２０重量％、前記非晶質アルミナ珪酸塩を５〜１０重量％及び前記ミネラル反応酵素剤を１５〜３５重量％含むものである。【特許請求の範囲】
【請求項１】
酸化珪素を主成分とし、これに酸化カルシウム、非晶質アルミナ珪酸塩及びミネラル反応酵素剤を加えたことを特徴とする植物発生材吹付用安定・浸食防止・改良促進剤。
【請求項２】
前記ミネラル反応酵素剤が、針葉樹の葉の抽出成分にパパイヤ、パイナップルの一方又は両方の抽出成分を加えたものである請求項１記載の植物発生材吹付用安定・浸食防止・改良促進剤。
【請求項３】
前記酸化珪素を５０〜７０重量％、前記酸化カルシウムを１０〜２０重量％、前記非晶質アルミナ珪酸塩を５〜１０重量％及び前記ミネラル反応酵素剤を１５〜３５重量％含む請求項１又は２記載の植物発生材吹付用安定・浸食防止・改良促進剤。
【発明の詳細な説明】
【０００１】
【発明の属する技術分野】
本発明は、これからの法面緑化工法の主流になると考えられる、植物発生材を用いた法面緑化工法に対応する、新時代の、安定・浸食防止・改良促進剤に関する。
【０００２】
【従来の技術】
従来、法面緑化工法に用いる土壌安定化材料としては、灰成分に硫酸アルミニウム、硫酸カルシウム、シリカ粉末、セメント成分を混合した無機質材料が知られている（下記特許文献１参照）。
【特許文献１】
特許第２９３５４０８号公報
【０００３】
【発明が解決しようとする課題】
街路樹の剪定枝、堤防刈草、道路造成による伐採樹木などの植物発生材は、これまで、埋め立てや焼却による処理がなされていた。しかしながら、植物発生材は有用な資源であり、元来、そのすべてを再利用することが可能な材料である。国は、平成６年の「緑の政策大綱」において具体的にその推進を挙げたが、法面緑化基盤材としての活用を行うことで、土壌に戻し再び植物に吸収させるという「緑のリサイクルシステム」を構築することを本発明者等は目指している。
【０００４】
しかし、いままでは木質破砕材（未分解チップ）を使用する場合、完全に堆肥化させたものでないと良好な発芽が得られないということが常識とされてきた。完全な堆肥化は理想ではあるが、▲１▼堆肥化に長時間を要する、▲２▼広大な敷地面積を要する、▲３▼大きい労力を要する点が短所であり、採算性の問題から大半は廃棄物として処分されてきた。未分解のままの木質破砕材をそのままで使用すると、確かに極端に発芽率が低い。木質破砕材にはリグニン、樹脂成分等の難分解有機化合物がそのままの形で残っており、この有機化合物はこれから微生物によって分解されるのを待っている状態である。したがって、これを多く使用した場合、分解過程で窒素飢餓、酸素不足（嫌気状態）となり、発芽不良、生育不良、植物の病気の原因となる。
【０００５】
このため、再利用する木質破砕材の量を少なくすることにより、窒素飢餓、酸素不足を抑制する試みもなされているが、発芽不良、生育阻害、病気（根腐れ）は依然として懸念されるところであった。
【０００６】
本発明は、上記の点に鑑み、植物発生材を効果的に安定させ、様々な副次的効果を発揮させることができ、保水性や保肥性の向上、導入植物の発芽促進、塩基障害の緩和や有効菌の高速増殖、根腐れの予防に有効な植物発生材吹付用安定・浸食防止・改良促進剤を提供することを目的とする。
【０００７】
本発明のその他の目的や新規な特徴は後述の実施の形態において明らかにする。
【０００８】
【課題を解決するための手段】
上記目的を達成するために、本願請求項１の発明に係る植物発生材吹付用安定・浸食防止・改良促進剤は、酸化珪素を主成分とし、これに酸化カルシウム、非晶質アルミナ珪酸塩及びミネラル反応酵素剤を加えたことを特徴としている。
【０００９】
本願請求項２の発明に係る植物発生材吹付用安定・浸食防止・改良促進剤は、請求項１において、前記ミネラル反応酵素剤が、針葉樹の葉の抽出成分にパパイヤ、パイナップルの一方又は両方の抽出成分を加えたものであることを特徴としている。
【００１０】
本願請求項３の発明に係る植物発生材吹付用安定・浸食防止・改良促進剤は、請求項１又は２において、前記酸化珪素を５０〜７０重量％、前記酸化カルシウムを１０〜２０重量％、前記非晶質アルミナ珪酸塩を５〜１０重量％及び前記ミネラル反応酵素剤を１５〜３５重量％含むことを特徴としている。
【００１１】
【発明の実施の形態】
以下、本発明に係る植物発生材吹付用安定・浸食防止・改良促進剤の実施の形態を説明する。
【００１２】
本発明の植物発生材吹付用安定・浸食防止・改良促進剤は、酸化珪素を主成分とし、これに酸化カルシウム、非晶質アルミナ珪酸塩及びミネラル反応酵素剤を加えたものであり、前記ミネラル反応酵素剤は、針葉樹の葉の抽出成分にパパイヤ、パイナップルの一方又は両方の抽出成分を加えたものである。この植物発生材吹付用安定・浸食防止・改良促進剤は、前記酸化珪素を５０〜７０重量％、前記酸化カルシウムを１０〜２０重量％、前記非晶質アルミナ珪酸塩を５〜１０重量％及び前記ミネラル反応酵素剤を１５〜３５重量％含む組成であることが好ましく、さらに、最も好ましい組成は、前記酸化珪素を６５重量％、前記酸化カルシウムを１０重量％、前記非晶質アルミナ珪酸塩を５重量％及び前記ミネラル反応酵素剤を２０重量％含む組成である。
【００１３】
土壌の肥沃度に関わる重要な性質として以下に述べるカチオン交換能がある。
【００１４】
（イ）　カチオン交換能
土壌中で無機化したミネラルは土壌に吸収保持される。その機能は粘土と腐食という無機、有機のコロイドの働きによるものである。これらのコロイドは負に帯電し、表面にカチオンを電気的に吸収する。吸収されたカチオンは他の遊離のカチオンと交替できる。根が伸びてきて酸を作ると、その水素イオン（Ｈ＋）がコロイド表面のカルシウムイオン（Ｃａ２＋）やアンモニア（ＮＨ４＋）と交換して、Ｈ＋が入ってＣａ２＋やＮＨ４＋が遊離し根はそれを吸収することができる。土壌がもっているこの機能をカチオン交換能（ｃａｔｉｏｎ　ｅｘｃｈａｎｇｅ　ｃａｐａｃｉｔｙ，ＣＥＣ）といい、交換されるカチオンを交換性カチオン（ｅｘｃｈａｎｇｅａｂｌｅ　ｃａｔｉｏｎ）と呼ぶ。土壌の肥沃度にかかわる重要な性質である。
【００１５】
この植物発生材吹付用安定・浸食防止・改良促進剤は、粘土鉱物成分（酸化珪素、酸化カルシウム、非晶質アルミナ珪酸塩）がカチオン交換能を高める役目を担っている。
【００１６】
また、前記ミネラル反応酵素剤に含まれる酵素の働きは、以下に述べるように未分解チップ（街路樹の剪定枝、堤防刈草、道路造成による伐採樹木などの植物発生材を破砕したチップ）の分解過程における様々な問題点を好転させる働きを持つ。
【００１７】
（ロ）　酵素の働き
▲１▼　臭気吸着成分が分解ガスの臭気を吸着し、悪臭の発生を防止すると共に、吸着した分解ガスを酵素の効果でアミノ酸に変換し，微生物の栄養源とする。
【００１８】
▲２▼　酵素を触媒とした化学反応によっても、リグニン・樹脂成分等が分解されるため、微生物分解以上の分解速度があるにもかかわらず、酸素消費量は少ないため、酸素不足（嫌気状態）にはならない。また硫酸還元菌（チオバチルス菌）を不活性化させる効果も認められている。
【００１９】
▲３▼　酵素により微生物を活性化させ、微生物の増殖がなくても同等以上の分解効果が得られるので、アミノ酸の大量消費が抑制でき、窒素飢餓を防止する。
【００２０】
▲４▼　木質破砕材の中に存在している植物育成促進用細菌（光合成菌・根尖部寄生菌等）も同時に活性化することにより、フィールド外から各種細菌を持ち込まなくても同様の効果（生育促進効果）を発揮することができる。
【００２１】
前記光合成菌の役割は、土壌微生物によるアミノ酸の吸収を抑制し、空気中の窒素を固定する。短時間でアンモニアと硝酸に生成することにより植物に窒素を供給しやすくする。また、この他に有機物の分解等で発生する育成阻害要素を抑制する効果も認められている。さらに、この光合成菌と有機栄養素菌が共存すると、植物の生育を著しく活性化することができ、窒素固定量も増大する。
【００２２】
▲５▼　酵素の効果と豊富なミネラル等の栄養分により、植物の病気（根瘤、根腐れ、紋羽病等）の発生が防止できる。
【００２３】
この植物発生材吹付用安定・浸食防止・改良促進剤は、植物発生材の破砕材としての未分解チップと混ぜ合わせ、スラリー状として用い、そのスラリー状物をモルタル吹付機で緑化対象の法面に吹き付け施工する。一部の条件下を除いて、１：０．８程度の勾配までは、生育基盤安定に使用するラス金網の併用を必要とせず、コスト縮減と工期短縮及び植物発生材のリサイクルに寄与できる。この植物発生材吹付用安定・浸食防止・改良促進剤の施用により、通気性、透水性に優れた造成基盤を構築可能である。
【００２４】
本発明による植物発生材吹付用安定・浸食防止・改良促進剤を用いた植物誘導吹付工法では，在来の有機質植生基盤材を用いる工法に比較して、理論的に以下の利点があると考えられる。
【００２５】
▲１▼　リター（枯死落下した樹体の一部、花、種、樹皮、根、落葉、樹木に依存する動物の遺体等）で構成される森林土壌の最表層のＡ０層に近い性質を持ち、むしろ自然である。
【００２６】
▲２▼　構造的に，浸入植物種のかっ着性が良好である。
【００２７】
▲３▼　透水性が良好で、土相構成は自然地盤に近いため、間隙水圧による障害がない。
【００２８】
▲４▼　地山との接触抵抗が高く、流亡しにくい。
【００２９】
▲５▼　植物発生材吹付用安定・浸食防止・改良促進剤の効果により導入植物、浸入植物の活性化がのぞめる。
【００３０】
以上本発明の実施の形態について説明してきたが、本発明はこれに限定されることなく請求項の記載の範囲内において各種の変形、変更が可能なことは当業者には自明であろう。
【００３１】
【発明の効果】
以上説明したように、本発明に係る植物発生材吹付用安定・浸食防止・改良促進剤によれば、以下の効果を得ることが出来る。
【００３２】
（１）　保水性や保肥性の向上、導入植物の発芽促進、塩基障害の緩和や有効菌の高速増殖、根腐れの予防に有効である。
【００３３】
（２）　本発明の植物発生材吹付用安定・浸食防止・改良促進剤から放出される水和物は、造成基盤を地山に対して強く密着させることから、当該安定・浸食防止・改良促進剤を用いた工法では、一部の条件下を除いて１：０．８程度までの勾配は金網張り等の緑化基礎工を省略することが可能であり、工期の短縮に寄与できる。
【００３４】
（３）　本発明の植物発生材吹付用安定・浸食防止・改良促進剤の併用によって形成される複塩化合物は、寒冷地の霜柱による根毛の切断や、凍上現象による地表面の隆起等を発生させにくくする働きがあり、また、赤土などの微粒子の流出防止も図ることができる。